(57)【要約】【課題】  主観的な光沢感と相関の高い光沢感評価値および光沢ムラ評価値を算出することができる評価方法及び装置を提供する。【解決手段】  物体の変角反射光分布特性を測定装置によって測定する。その測定結果に基づいて、物体の光沢特性を評価するための評価パラメータを抽出する。抽出した評価パラメータに基づいて、前記物体の光沢特性を示す評価値を算出する。算出した評価値を、前記評価パラメータで規定される少なくとも２次元の空間上で可視表示する。【選択図】  図１
2006266763.tif 000002
【特許請求の範囲】
【請求項１】
画像処理装置によって、物体の光沢特性を評価する評価方法であって、
前記物体の変角反射光分布特性を測定装置によって測定する測定工程と、
前記測定工程による測定結果に基づいて、前記物体の光沢特性を評価するための評価パラメータを抽出する抽出工程と、
前記抽出工程で抽出した評価パラメータに基づいて、前記物体の光沢特性を示す評価値を算出する算出工程と、
前記算出工程で算出した評価値を、前記評価パラメータで規定される少なくとも２次元の空間上で可視表示する表示工程と
を備えることを特徴とする評価方法。
【請求項２】
前記変角反射光分布特性は、正反射近傍における前記物体からの反射光強度の分布特性である
ことを特徴とする請求項１に記載の評価方法。
【請求項３】
前記測定装置は、
評価対象の物体を照明する光源と、
前記照明手段により照明される被測定部での反射光の空間的な分布を同一円周上から変角測定する受光器と
を備えることを特徴とする請求項１に記載の評価方法。
【請求項４】
前記評価パラメータは、正反射光強度と、正反射近傍光強度である
ことを特徴とする請求項１に記載の評価方法。
【請求項５】
前記評価パラメータは、正反射光強度と、正反射近傍の反射光分布の広がりである
ことを特徴とする請求項１に記載の評価方法。
【請求項６】
前記評価パラメータは、鏡面光沢度測定方法に基づき測定された鏡面光沢度の値と、ヘイズ測定方法に基づいて測定したヘイズの値である
ことを特徴とする請求項１に記載の評価方法。
【請求項７】
前記評価パラメータは、鏡面光沢度測定方法に基づき測定された鏡面光沢度の値と、写像性測定方法に基づき測定された像鮮明度の値である
ことを特徴とする請求項１に記載の評価方法。
【請求項８】
前記光沢特性は、前記物体の光沢感であって、前記算出工程は前記物体の光沢感についての評価値を算出する
ことを特徴とする請求項１乃至請求項７のいずれか１項に記載の評価方法。
【請求項９】
前記光沢特性は、複数の物体間の光沢ムラであって、前記算出工程は前記複数の物体間の光沢ムラについての評価値を算出する
ことを特徴とする請求項１乃至請求項７のいずれか１項に記載の評価方法。
【請求項１０】
前記算出工程は、前記変角反射光分布特性から得られる、正反射光の強度と、正反射近傍の反射光の強度に基づき、以下の式を算出することによって、前記光沢感についての評価値を算出する
2006266763.tif 000008
ことを特徴とする請求項８に記載の評価方法。
【請求項１１】
前記算出工程は、前記変角反射光分布特性から得られる、前記複数の物体における正反射光の強度と、正反射近傍の反射光の強度に基づき、以下の式を算出することによって、前記複数の物体間における光沢ムラについての評価値を算出する
2006266763.tif 000009
ことを特徴とする請求項９に記載の評価方法。
【請求項１２】
前記算出工程は、前記変角反射光分布特性から得られる、前記複数の物体における正反射光の強度と正反射近傍の反射光の強度に基づき、以下の式を算出することによって、前記複数の物体間における前記正反射光の強度のムラ成分と前記正反射近傍の反射光の強度のムラ成分とを算出する
2006266763.tif 000010
ことを特徴とする請求項９に記載の評価方法。
【請求項１３】
物体の光沢特性を評価する評価装置であって、
前記物体の変角反射光分布特性を測定する測定手段と、
前記測定手段による測定結果に基づいて、前記物体の光沢特性を評価するための評価パラメータを抽出する抽出手段と、
前記抽出手段で抽出した評価パラメータに基づいて、前記物体の光沢特性を示す評価値を算出する算出手段と、
前記算出手段で算出した評価値を、前記評価パラメータで規定される少なくとも２次元の空間上で可視表示する表示手段と
を備えることを特徴とする評価装置。
【請求項１４】
評価装置を制御することによって、請求項１乃至請求項１２記載の評価方法を実行することを特徴とするプログラム。
【請求項１５】
請求項１４に記載されたプログラムが記録されたことを特徴とする記録媒体。
【発明の詳細な説明】
【技術分野】
【０００１】
本発明は、物体の光沢感及び光沢ムラに関する評価値を算出する評価方法及び装置に関する。例えば、カラープリンタ等の画像出力装置で、印刷されたハードコピー等の印刷媒体について、画像観察者の主観的な光沢感と相関の高い評価値を算出するための評価方法及びその装置に関するものである。
【背景技術】
【０００２】
カラープリンタ等の画像出力装置で、印刷された印刷媒体の光沢感は、写真印刷やドキュメント印刷において重要な画質因子であり、印刷媒体の品質管理項目の一つとして用いられている。印刷媒体では、印刷方式、色材、用紙等の違いにより、印刷媒体表面の光沢感が異なる。
【０００３】
印刷媒体の光沢感の評価方法には、一般的に、正反射光の強度を測定する鏡面光沢度測定方法（ＪＩＳ  Ｚ  ８７４１）に準拠した光沢度計の測定値が用いられる。また、自動車の外板等の高光沢物体の光沢感評価には、試料表面の曇り具合を測定するヘイズ測定方法（ＩＳＯ  １３８０３、ＡＳＴＭ  Ｅ  ４３０）や、試料表面に映り込んだ物体の像の鮮明度を測定する写像性測定方法（ＪＩＳ  Ｋ  ７１０５、ＪＩＳ  Ｈ  ８６８６）が用いられる。
【０００４】
また、色材に顔料トナーを用いる電子写真プリンタや、色材に顔料インクを用いたインクジェットプリンタ等の画像出力装置においては、顔料粒子が印刷媒体に浸透せず印刷媒体表面に残留する。このため、印刷媒体とは異なる屈折率を持つ色材の露出する割合や表面構造が、印刷媒体に定着させる色や濃度の相違によって異なり、光沢感に差異が現れる光沢ムラという現象が発生する。
【０００５】
そこで、このような環境において、物体の光沢感を評価する方法として、例えば、特許文献１がある。この特許文献１では、正反射光に基づいて得られる光沢指標値と、拡散反射光に基づいて得られる明度に関する指標値との線形和を光沢評価値とするものである。
【特許文献１】特開２００４−３１７１３１号公報
【発明の開示】
【発明が解決しようとする課題】
【０００６】
しかしながら、鏡面光沢度測定方法に基づいた光沢度計の測定値やヘイズ測定方法に基づいたヘイズメータ、写像性測定方法に基づいた写像性測定装置は、人間の目視評価と対応しない問題がある。
【０００７】
鏡面光沢度測定方法は、正反射光の強度のみを測定している。しかし、人間は正反射光の強度のみではなく、正反射近傍の空間的な反射光分布特性を加味して光沢感を評価している。そのため、評価対象とする印刷媒体に正反射近傍の反射光分布の広がりが広い試料と狭い試料とが含まれると、鏡面光沢度測定方法で測定した客観評価値と、主観評価値との相関が悪くなる。
【０００８】
反対に、ヘイズ測定方法や写像性測定方法では、正反射光の強度は測定しておらず、正反射近傍の反射光強度のみや正反射近傍の広がりに相当する成分のみを測定している。そのため、正反射光の強度の違いによる光沢感の差異は検出することができず、ヘイズ測定方法および写像性測定方法で測定した客観評価値と、主観評価値との相関が悪くなる。
【０００９】
つまり、一般に使われている測定方法では、光沢感の評価に十分な物理要素の測定が出来ていない。
【００１０】
さらに、光沢ムラの評価にも、鏡面光沢度測定方法で測定した客観評価値のみ、あるいは、ヘイズ測定方法および写像性測定方法で測定した客観評価値のみを使用している。そのため、上述した従来の光沢感評価値が人間の目視評価と対応しない理由と同一の理由で、これらの客観評価値と、人間の目視評価とが対応しない問題がある。
【００１１】
本発明は上記の課題を解決するためになされたものであり、主観的な光沢感と相関の高い光沢感評価値および光沢ムラ評価値を算出することができる評価方法及び装置を提供することを目的とする。
【課題を解決するための手段】
【００１２】
上記の目的を達成するための本発明による評価方法は以下の構成を備える。即ち、
画像処理装置によって、物体の光沢特性を評価する評価方法であって、
前記物体の変角反射光分布特性を測定装置によって測定する測定工程と、
前記測定工程による測定結果に基づいて、前記物体の光沢特性を評価するための評価パラメータを抽出する抽出工程と、
前記抽出工程で抽出した評価パラメータに基づいて、前記物体の光沢特性を示す評価値を算出する算出工程と、
前記算出工程で算出した評価値を、前記評価パラメータで規定される少なくとも２次元の空間上で可視表示する表示工程と
を備える。
【００１３】
また、好ましくは、前記変角反射光分布特性は、正反射近傍における前記物体からの反射光強度の分布特性である。
【００１４】
また、好ましくは、前記測定装置は、
評価対象の物体を照明する光源と、
前記照明手段により照明される被測定部での反射光の空間的な分布を同一円周上から変角測定する受光器と
を備える。
【００１５】
また、好ましくは、前記評価パラメータは、正反射光強度と、正反射近傍光強度である。
【００１６】
また、好ましくは、前記評価パラメータは、正反射光強度と、正反射近傍の反射光分布の広がりである。
【００１７】
また、好ましくは、前記評価パラメータは、鏡面光沢度測定方法に基づき測定された鏡面光沢度の値と、ヘイズ測定方法に基づいて測定したヘイズの値である。
【００１８】
また、好ましくは、前記評価パラメータは、鏡面光沢度測定方法に基づき測定された鏡面光沢度の値と、写像性測定方法に基づき測定された像鮮明度の値である。
【００１９】
また、好ましくは、前記光沢特性は、前記物体の光沢感であって、前記算出工程は前記物体の光沢感についての評価値を算出する。
【００２０】
また、好ましくは、前記光沢特性は、複数の物体間の光沢ムラであって、前記算出工程は前記複数の物体間の光沢ムラについての評価値を算出する。
【００２１】
また、好ましくは、前記算出工程は、前記変角反射光分布特性から得られる、正反射光の強度と、正反射近傍の反射光の強度に基づき、以下の式を算出することによって、前記光沢感についての評価値を算出する。
2006266763.tif 000003
【００２２】
また、好ましくは、前記算出工程は、前記変角反射光分布特性から得られる、前記複数の物体における正反射光の強度と、正反射近傍の反射光の強度に基づき、以下の式を算出することによって、前記複数の物体間における光沢ムラについての評価値を算出する。
2006266763.tif 000004
【００２３】
また、好ましくは、前記算出工程は、前記変角反射光分布特性から得られる、前記複数の物体における正反射光の強度と正反射近傍の反射光の強度に基づき、以下の式を算出することによって、前記複数の物体間における前記正反射光の強度のムラ成分と前記正反射近傍の反射光の強度のムラ成分とを算出する。
2006266763.tif 000005
【００２４】
上記の目的を達成するための本発明による評価装置は以下の構成を備える。即ち、
物体の光沢特性を評価する評価装置であって、
前記物体の変角反射光分布特性を測定する測定手段と、
前記測定手段による測定結果に基づいて、前記物体の光沢特性を評価するための評価パラメータを抽出する抽出手段と、
前記抽出手段で抽出した評価パラメータに基づいて、前記物体の光沢特性を示す評価値を算出する算出手段と、
前記算出手段で算出した評価値を、前記評価パラメータで規定される少なくとも２次元の空間上で可視表示する表示手段と
を備える。
【発明の効果】
【００２５】
本発明によれば、主観的な光沢感と相関の高い光沢感評価値および光沢ムラ評価値を算出することができる評価方法及び装置を提供できる。
【発明を実施するための最良の形態】
【００２６】
以下、本発明の実施の形態について図面を用いて詳細に説明する。
【００２７】
[実施形態１]
まず、実施形態１の光沢感評価装置（画像処理装置）による光沢評価処理の概要について、図１を用いて説明する。
【００２８】
図１は本発明の実施形態１の光沢評価処理の概要を示すフローチャートである。
【００２９】
尚、図１では、光沢感を評価するための２次元グラフに、評価対象とする印刷媒体の光沢感評価値を出力するまで処理を示している。
【００３０】
また、光沢感（光沢特性）評価対象となる物体である、印刷媒体とは、一般的な印刷装置で用いられている紙のみならず、広く布、プラスチックフィルム、金属板等、印刷装置で使用される記録剤を受容可能なものも言うものとする。
【００３１】
図１において、まず、評価対象とする印刷媒体の変角反射光分布特性を測光する（ステップＳ１０１）。次に、ステップＳ１０１で測光した変角反射光分布特性から評価パラメータを抽出する（ステップＳ１０２）。次に、ステップＳ１０２で抽出した評価パラメータを入力する（ステップＳ１０３）。次に、ステップＳ１０３で入力した評価パラメータを格納する（ステップＳ１０４）。次に、ステップＳ１０４で入力した評価パラメータを２次元グラフに表示する（ステップＳ１０５）。
【００３２】
次に、図１の各ステップの処理の内容について、図２から図９を参照して詳細に説明する。
【００３３】
図２Ａは本発明の実施形態１の光沢感評価装置の全体構成の概略を示すブロック図である。
【００３４】
光沢感評価装置１００は、受光信号処理部２１０、光沢感評価値算出処理部２２０、光沢感評価値出力部２３０とで構成される。
【００３５】
受光信号処理部２１０は、測光部２１１と評価パラメータ抽出部２１３とからなる。ステップＳ１０１の処理は、測光部２１１で行われ、測光部２１１の変角反射光分布特性測定部２１２で、被評価対象の印刷媒体表面の変角反射光分布特性を測定する。ステップＳ１０２の処理は、評価パラメータ抽出部２１３で行われ、変角反射光分布特性測定部２１２で測定された印刷媒体表面の変角反射光分布特性から、正反射光強度抽出部２１４と正反射近傍光強度抽出部２１５とそれぞれにおいて正反射光強度と正反射近傍光強度を抽出する。
【００３６】
光沢感評価値算出処理部２２０は、評価パラメータ入力部２２１と評価パラメータ格納部２２４とからなる。ステップＳ１０３の処理は、評価パラメータ入力部２２１で行われ、正反射光強度抽出部２１４で抽出された正反射光強度を正反射光強度入力部２２２で入力する。また、正反射近傍光強度抽出部２１５で抽出された正反射近傍光強度を、正反射近傍光強度入力部２２３で入力する。ステップＳ１０４の処理は、評価パラメータ格納部２２４で行われ、評価パラメータ入力部２２１で入力された正反射光強度と正反射近傍光強度とを、コンピュータのメモリ等の記憶媒体に格納する。
【００３７】
光沢感評価値出力部２３０は、光沢感評価値ファイル出力部２３１と光沢感評価値モニタ表示部２３２とからなる。ステップＳ１０５の処理は、光沢感評価値出力部２３０で行われ、光沢感評価値ファイル出力部２３１では、評価パラメータ格納部２２４で格納した正反射光強度と正反射近傍光強度との組を、所定形式でファイルに出力する。光沢感評価値モニタ表示部２３２では、評価パラメータ格納部２２４で格納した正反射光強度と正反射近傍光強度との組、あるいはそれらによって得られる光学特性（光沢感評価値）を、例えば、コンピュータ等の端末のモニタ上で２次元グラフに表示する。
【００３８】
次に、光沢感評価装置を実現するハードウェア構成について、図２Ｂを用いて説明する。
【００３９】
図２Ｂは本発明の実施形態１の光沢感評価装置のハードウェア構成を示すブロック図である。
【００４０】
図２Ｂにおいて、１０１はＣＰＵであり、光沢感評価装置を構成する各種構成要素を制御する。１０２はメインメモリであり、ＲＡＭやＲＯＭ等で構成され、ＲＡＭはデータ作業領域や一時待避領域として機能する。ＲＯＭは、本発明の各実施形態を実現するプログラムを含む各種制御プログラムを記憶している。
【００４１】
１０３はＳＣＳＩインタフェース（Ｉ／Ｆ）であり、ＳＣＳＩデバイス（例えば、ＨＤＤ１０５）との接続及びそれに対するデータ転送を制御する。１０４はネットワークインタフェース（Ｉ／Ｆ）であり、外部ネットワーク（ローカルエリアネットワーク１１３）との接続及びそれを介するデータ送受信を制御する。１０５はＨＤＤ（ハードディスクドライブ）であり、上記各種制御プログラム（ＯＳや各種アプリケーション）や設定データ等の各種データを記憶する。
【００４２】
尚、本実施形態では、ＨＤＤは、ＳＣＳＩ形式のＨＤＤを例に挙げて説明しているが、これに限定されず、ＩＤＥ形式、ＳＡＴＡ形式等の他の形式のＨＤＤであっても構わない。その場合、各形式に応じたインタフェースが構成されることは言うまでもない。
【００４３】
１０６はグラフィックアクセラレータであり、カラーモニタ１０７に出力する画像（例えば、ＣＰＵ１０１の制御によって生成される各種ユーザインタフェース）の表示を制御する。１０７はカラーモニタであり、例えば、液晶プロジェクタで構成される。
【００４４】
１０８はＲＳ−２３２Ｃユニットであり、測定装置１０９との接続及びそれの制御を実行する。１０９は測定装置であり、処理対象の物体の変角反射光を測定する。１１０はキーボード／マウスコントローラであり、入力デバイス（キーボード１１１やマウス１１２）との接続及びそれらの制御を実行する。１１１はキーボード、１１２はマウスである。１１３はローカルエリアネットワークである。
【００４５】
１１５はＵＳＢコントローラであり、ＵＳＢデバイス（例えば、カラープリンタ１１１６）との接続及びそれの制御を実行する。１１６はカラープリンタであり、例えば、インクジェット方式やレーザビーム方式等の各種印刷方式がある。１１４はシステムバスであり、例えば、ＰＣＩバス、ＩＳＡバス等で構成され、光沢感評価装置を構成する各種構成要素を相互に接続する。
【００４６】
次に、変角反射光分布特性測光部２１２を実現する測定装置の全体構成及びその動作について、図３を用いて説明する。
【００４７】
図３は変角反射光分布特性測光部を実現する測定装置の全体構成及びその動作の概略を示す図である。
【００４８】
ここでは、ステップＳ１０１の変角反射光分布特性の測光方法について、図３を用いて説明する。光源３１から評価対象とする印刷媒体表面３３の被測定部３４を照明すると、印刷媒体表面３３の凹凸や表面物質の屈折率等が起因して、異なった形状の反射光分布３５が発生する。この反射光分布３５の空間的な強度特性を、被測定部３４を中心とした同一円周上の複数の角度において受光器３２で測光する。換言すれば、被測定部３４での反射光の空間的な分布を同一円周上から変角測定する。
【００４９】
このように、測定装置では、印刷媒体３３の法線方向から任意の角度θ傾いた方向から照明し、印刷媒体３３の空間的な反射光分布の強度特性を取得できるように、受光器３２を制御する。具体的には、印刷媒体３３の法線方向から角度θ’傾いた複数の所定の方向で、各方向における印刷媒体３３からの反射光を受光器３２により受光する。
【００５０】
ここで、光源３１は、例えば、ハロゲンである。但し、これに限定されるものではなく、その他にも、パルスキセノン等の他の光源を用いても良く、光源の種類は限定されない。受光器３２は、光を検出するフォトダイオード等の検出器（光学機器）を備えて、これには、例えば、放射輝度計等がある。但し、これに限定されるものではなく、光強度を検出できる検出器であれば、その他の光センサ（光学機器）を用いても良く、受光器の種類は限定されない。
【００５１】
次に、ステップＳ１０２の評価パラメータ抽出処理、即ち、正反射光強度抽出部２１４と正反射近傍光強度２１５による、正反射光強度と正反射光近傍強度との抽出方法についてのいくつかの例を、図２から図６を用いて説明する。
【００５２】
図４は本発明の実施形態１の正反射光強度と正反射光近傍強度との抽出方法の一例を説明するための図である。
【００５３】
図４は、図３の変角反射光分布特性部２１２で測定された、複数の受光角における反射光強度を、横軸に受光角、縦軸に受光反射光強度とした反射光分布を示している。ここで、図３の光源３１に対する正反射の方向を原点Ｏとする。
【００５４】
図４において、変角反射光分布特性４１は、図３における、被評価対象である印刷媒体３３の反射光分布（反射光強度分布特性）３５に対応する。正反射光強度４２は、原点Ｏ、即ち、光源３１（図３）に対する正反射方向で受光した光強度である。つまり、図２Ａの正反射光抽出部２１４において抽出する正反射光強度は、図４の４２に対応する。尚、正反射光抽出部２１４において抽出する正反射光強度は、変角反射光分布特性４１から反射光強度の最大値を取得して決定しても良い。
【００５５】
これに対し、正反射近傍光強度は、図４の４３に対応する。これは、原点Ｏ、即ち、光源３１に対する正反射方向からある所定の角度ずれた角度θ1における反射光強度である。つまり、図２Ａの正反射近傍光強度抽出部２１５において抽出する正反射近傍光強度は、図４の４３に対応する。尚、正反射近傍光強度抽出部２１５において抽出する正反射近傍光強度は、原点Ｏからある所定の角度ずれた角度θ1での反射光の強度と、原点と反対方向に同角度θ1ずれた角度での反射光の強度の和あるいは平均値を取得して決定しても良い。
【００５６】
次に、正反射光強度と正反射光近傍強度との抽出方法の他の例について、図５を用いて説明する。
【００５７】
図５は本発明の実施形態１の正反射光強度と正反射光近傍強度との抽出方法の他の例を説明するための図である。
【００５８】
図５は、図４と同様に、図３の変角反射光分布特性部２１２で測定された、複数の受光角における反射光強度を、横軸に受光角、縦軸に受光反射光強度として反射光分布を示している。
【００５９】
幅指標値５２は、変角反射光分布特性５１の最大値の半値になるときの受光角の幅、即ち、半値全幅である。そして、図５では、正反射近傍光強度抽出部２１５において抽出する正反射近傍光強度は、幅指標値５２を用いる例を示している。ここで、幅指標値５２は、例えば、１０分の１、１００分の１になるときの幅等、任意の高さにおける幅（正反射近傍の反射光分布の広がり）を用いてもよい。さらに、半値半幅等、前述した全幅の半分に相当する幅を幅指標値５２として設定してもよい。
【００６０】
次に、正反射光強度と正反射光近傍強度との抽出方法の他の例について、図６を用いて説明する。
【００６１】
図６は本発明の実施形態１の正反射光強度と正反射光近傍強度との抽出方法の他の例を説明するための図である。
【００６２】
図６に破線で示す反射光強度の一次微分値６１は、図４の複数の受光角における反射光強度の角度に対する一次微分値である。そして、正反射近傍光強度抽出部２１５において抽出する正反射近傍光強度は、図６では、所定の角度範囲における反射光強度の一次微分値６１の標準偏差（正反射近傍の反射光分布の広がりに相当する値）を用いる例を示している。
【００６３】
一方、図６に示す実線は、図４の複数の受光角における反射光強度を角度に対する一次微分値の絶対値である。最大増加率６３及び最大減少率６４は、反射光強度の角度に対する変化の割合が最も大きい位置を示している。そして、正反射近傍光強度抽出部２１５において抽出する正反射近傍光強度は、最大増加率６３及び最大減少率６４を用いても良い。あるいは、最大増加率６３及び最大減少率６４の和、あるいはそれらの平均値を用いても良い。
【００６４】
尚、複数の受光角における反射光強度の角度に対する一次微分値によって正反射近傍光強度を抽出する場合には、その一次微分の際に、測定時のノイズを低減するために、所定のローパスフィルタを適用しても良い。
【００６５】
また、変角反射光分布特性から、正反射光強度あるいは正反射近傍光強度を抽出する際には、複数の受光角における測定データに対して所定の補間処理やフィッティング処理を施しても良い。
【００６６】
また、正反射光強度と正反射近傍光強度の抽出方法については、変角反射光分布特性を利用する方法以外にも、鏡面光沢度測定方法（ＪＩＳ  Ｚ  ８７４１）、ヘイズ測定方法（ＩＳＯ  １３８０３、ＡＳＴＭ  Ｅ  ４３０）、写像性測定方法（ＪＩＳ  Ｋ  ７１０５、ＪＩＳ  Ｈ  ８６８６）等の方法を用いても良い。
【００６７】
これらの方法を用いる場合の例として、鏡面光沢度測定方法とヘイズ測定方法を用いる場合には、評価パラメータは、鏡面光沢度測定方法に基づき測定された鏡面光沢度の値と、ヘイズ測定方法に基づいて測定したヘイズの値を利用して、所定の変換式から算出した値となる。
【００６８】
また、鏡面光沢度測定方法と写像性測定方法を用いる場合には、評価パラメータは、鏡面光沢度測定方法に基づき測定された鏡面光沢度の値と、写像性測定方法に基づき測定された像鮮明度の値を利用して、所定の変換式から算出した値となる。
【００６９】
また、正反射光強度は、物体表面への照明の映り込みの明るさを示す指標値、正反射近傍光強度は物体表面への照明の映り込みの鮮明さを示す指標値であることが望ましい。また、正反射光強度と正反射近傍光強度に対しては、評価パラメータ入力部２２１に入力する前に、人間の感性に対応するように所定の尺度校正を行うことが望ましい。
【００７０】
以上、図４〜図６の説明は、評価パラメータとして、単に、反射光強度を抽出する例を挙げて説明したが、反射率、輝度、明度等の反射光の強度に基づく指標値（光学特性値）であれば、これらを評価パラメータとして抽出しても良い。
【００７１】
次に、ステップＳ１０３の評価パラメータ入力処理及びステップＳ１０４の評価パラメータ格納処理について、図２Ａ及び図２Ｂ、図７、図８を用いて説明する。
【００７２】
図７は本発明の実施形態１の評価値入力／格納／表示処理を実現するためのＧＵＩ（グラフィックユーザインタフェース）の例を示す図である。図８は本発明の実施形態１の評価パラメータ入力処理及び格納処理を示すフローチャートある。
【００７３】
図２Ａの評価パラメータ入力部２２１及び評価パラメータ格納部２２４の処理は、評価パラメータ入力部７１０で実現される。また、光沢感評価値ファイル出力部２３１の処理は、評価結果ファイル出力ボタン７１６を操作することで実現される。光沢感評価値モニタ表示部２３２の処理は、評価結果表示ボタン７１５を操作することで実現される。
【００７４】
評価パラメータの入力は、手動、または、評価パラメータ呼出ボタン７１４を操作することで、予め評価パラメータ（所定形式で予め記憶されている、正反射光強度の値と正反射近傍光強度の値）が入力された評価パラメータ記述ファイルを呼び出し自動的に行われる。
【００７５】
そこで、まず、評価パラメータの入力方法が手動であるか否かを判定する（ステップＳ８０１）。評価パラメータが手動で入力される場合（ステップＳ８０１でＹＥＳ）、評価試料名入力部７１１に、評価対象となる印刷媒体の識別名を入力する（ステップＳ８０２）。
【００７６】
次に、正反射光強度の値を入力する（ステップＳ８０３）。これは、正反射光強度入力部２２２の処理として、例えば、正反射光強度入力部７１２のテキストボックスに正反射光強度抽出部２１４で抽出された正反射光強度の値を入力することで実現される。
【００７７】
次に、正反射近傍光強度の値を入力する（ステップＳ８０３）。これは、正反射近傍光強度入力部２２３の処理として、例えば、正反射近傍光強度入力用テキストボックス７１３に正反射光近傍強度抽出部２１５で抽出された正反射近傍光強度の値を入力することで実現される。
【００７８】
ステップＳ８０２〜ステップＳ８０４で入力された評価対象の印刷媒体の識別名及び、正反射光強度の値と正反射近傍光強度の値（評価パラメータ（ＧX，ＧY））を、メインメモリ１０２に格納する（ステップＳ８０５）。
【００７９】
一方、評価パラメータ呼出ボタン７１４が操作された場合（ステップＳ８０１でＮＯ）、指定された評価パラメータ記述ファイルを、ＨＤＤ１０５等の記憶媒体から呼び出す（ステップＳ８０６）。そして、評価対象の印刷媒体の識別名及び、このファイルに記述された正反射光強度の値と正反射近傍光強度の値（評価パラメータ（ＧX，ＧY））を、メインメモリ１０２に格納する（ステップＳ８０５）。
【００８０】
尚、図７のグラフィックユーザインタフェースを構成する各種コントロール（ボタン、テキストボックス等）に対する操作は、キーボード１１１やマウス１１２等の入力デバイスを用いて実行する。そして、ユーザはこれらの入力デバイスを用いてユーザインタフェース上で用意された各種コントロールを操作することによって、所望の操作を実現することができる。
【００８１】
次に、ステップＳ１０５の評価パラメータ表示処理について、図７、図９を用いて説明する。
【００８２】
図９は本発明の実施形態１の評価パラメータ表示処理を示すフローチャートである。
【００８３】
尚、図９は、評価パラメータ格納部２２４で格納された評価対象となる印刷媒体の評価パラメータに基づく光沢感評価値を、カラーモニタ１０７上に表示する光沢感評価値モニタ表示部２３２と、その光沢感評価値を所定の形式でファイル出力する光沢感評価値ファイル出力部２３１とにおける処理を示すものである。
【００８４】
この図９の処理は、図７のＧＵＩ上で評価結果表示ボタン７１５が押下されることにより実行される。
【００８５】
まず、評価パラメータ（ＧX，ＧY）として、メインメモリ１０２に格納された正反射光強度の値と正反射近傍光強度の値との組と、対応する評価対象の印刷媒体の識別名を呼び出す（ステップＳ９０１）。次に、呼び出した（ＧX，ＧY）を、光沢感評価値表示部７２０の正反射光強度ＧY、正反射近傍光強度ＧXを軸とする２次元評価グラフ上に、光沢感評価値７２２としてプロットする（ステップＳ９０２）。
【００８６】
また、ステップＳ９０１で呼び出した対応する評価対象の印刷媒体の識別名を、光沢感評価値表示部７２０にプロットされた光沢感評価値７２２を示す点の近傍に、試料名ラベル７２１として表示する（ステップＳ９０３）。
【００８７】
図７に示す２次元評価グラフでは、横軸については値が０に近づく程、物体表面に映り込む照明の像や別の物体の像が鮮明であることを示している。また、縦軸については値が大きくなるほど物体表面に映り込む照明の像が明るいことを示している。
【００８８】
従って、図７に示す例においては、サンプルＢよりサンプルＡの方が物体表面に映り込む照明の像や別の物体の像が鮮明であり、かつ、明るいことを示す。そのため、サンプルＢと比べサンプルＡの方が光沢感が高いことがわかる。
【００８９】
尚、ステップＳ８０１で選択された評価パラメータの入力方法が自動である場合、評価パラメータ記述ファイル格納部２２４には、複数の評価パラメータ（ＧX，ＧY）の組が格納されている可能性がある。そのため、この場合、評価パラメータ記述ファイル格納部２２４で格納されている評価パラメータ（ＧX，ＧY）の組が全て表示されているかどうかを確認し、全ての評価パラメータ（ＧX，ＧY）の組が表示されるまで、ステップＳ９０１〜ステップＳ９０３の処理を繰り返す（ステップＳ９０４）。
【００９０】
また、評価対象の印刷媒体の光沢特性である光沢感評価値Ｇｖは、評価パラメータ記述ファイル格納部２２４に格納されている評価パラメータに対して、予め決定した所定重み係数を付加した線形和である以下の（１）式によって算出する。
【００９１】
2006266763.tif 000006
【００９２】
最後に、評価結果ファイル出力ボタン７１６が押下されることにより、評価パラメータ（ＧX，ＧY）、評価対象とする印刷媒体の識別名、２次元評価グラフを、所定の形式でファイルに出力し、ＨＤＤ１０５等の外部記憶媒体に保存する（ステップＳ９０５）。
【００９３】
以上説明したように、実施形態１によれば、物体の光沢感の評価指標となる、評価パラメータである正反射光強度の値と正反射近傍光強度の値を、その評価パラメータで規定される少なくとも２次元の空間上で表現して提示することで、従来の手法と比べ、物体の光沢感の高低を人間の主観的な光沢感と相関良く定量評価することが可能となる。
【００９４】
[実施形態２]
以下、本発明の実施形態２について説明する。実施形態２における光沢感および光沢ムラ評価値装置の構成は、実施形態１に示す図２Ａの受光信号処理部２１０は、同様である。従って、実施形態２においては、特に、実施形態１との相違点である評価値の算出部と出力部についてのみ説明する。
【００９５】
図１０は実施形態２の評価対象とする印刷媒体の光沢感及び光沢ムラの評価値を表示／出力処理を示すフローチャートである。
【００９６】
まず、評価対象とするパッチの数を入力する（ステップＳ１００１）。次に、評価対象とする任意のパッチを所望の画像出力装置（例えば、プリンタ１１６）で出力する（ステップＳ１００２）。次に、出力した各パッチの変角反射光分布特性を測光する（ステップＳ１００３）。次に、測光した変角反射光分布特性から各パッチの評価パラメータ（ＧX，ＧY）を抽出する（ステップＳ１００４）。次に、抽出した評価パラメータ（ＧX，ＧY）を、メインメモリ１０２に格納する（ステップＳ１００５）。
【００９７】
次に、メインメモリ１０２に格納された評価パラメータ（ＧX，ＧY）の組の個数が、入力したパッチ数を満たしているか否かを判定する。つまり、入力したパッチ数分の評価パラメータ（ＧX，ＧY）の組が全てメインメモリ１０２に格納されたか否かを判定する（ステップＳ１００６）。
【００９８】
全てメインメモリ１０２に格納されていない場合（ステップＳ１００６でＮＯ）、評価パラメータ（ＧX，ＧY）の組が全てメインメモリ１０２に格納されるまで、ステップＳ１００３〜Ｓ１００５の処理を繰り返す。
【００９９】
一方、評価パラメータ（ＧX，ＧY）の組が全てメインメモリ１０２に格納された場合（ステップＳ１００６でＹＥＳ）、メインメモリ１０２に格納された全評価パラメータ（ＧX，ＧY）の組から、ＧXのばらつき、ＧYのばらつき、（ＧX，ＧY）のばらつきを計算する（ステップＳ１００７）。
【０１００】
次に、算出されたＧXのばらつき、ＧYのばらつき、（ＧX，ＧY）のばらつきをメインメモリ１０２に格納する（ステップＳ１００８）。次に、メインメモリ１０２に格納された全評価パラメータ（ＧX，ＧY）を、実施形態１と同様にして、２次元評価グラフをプロットし、プロットされた点を各パッチの光沢感評価値に設定する（ステップＳ１００９）。
【０１０１】
次に、プロットされた各点から、等密度線を計算し、２次元評価グラフに表示する（ステップＳ１０１０）。最後に、評価パラメータ（ＧX，ＧY）を光沢感評価値、ＧX、ＧY、（ＧX，ＧY）のばらつきを光沢ムラとして、所定の形式でファイルに出力する（ステップＳ１０１２）。
【０１０２】
次に、各ステップの処理の内容について、図１１を参照して詳細に説明する。
【０１０３】
図１１は本発明の実施形態２における光沢感および光沢ムラ評価装置の全体構成の概略を示すブロック図である。
【０１０４】
尚、前述したとおり、実施形態１の図２Ａの受光信号処理部２１０と図１１の受光信号処理部１１１０は同様の構成で実現される。また、光沢感評価値算出処理部１１２０、光沢感評価値出力部１１３０もほぼ同様の構成で実現されるため、実施形態１との相違点である光沢ムラ評価値算出処理部１１４０と光沢ムラ評価値出力部１１５０についてのみ詳細に説明する。
【０１０５】
まず、光沢ムラ評価値算出処理部１１４０は、評価パラメータ入力部１１４１と、評価パラメータ格納部１１４４と、光沢ムラ評価値演算部１１４５とからなる。評価パラメータ入力部１１４１は、評価パラメータ抽出部１１１３で抽出された２種類以上のパッチに対する正反射光強度と正反射近傍光強度を入力する正反射光強度入力部１１４２と正反射近傍光強度１１４３とからなる。
【０１０６】
評価パラメータ格納部１１４４では、評価パラメータ入力部１１４１で入力された正反射光強度と正反射近傍光強度を一対の組にして格納する。評価パラメータ格納部１１４４で、ステップＳ１００１で入力されたパッチ数と対応する数の正反射光強度と正反射近傍光強度の組が格納された後、光沢ムラ評価値演算部１１４５で、ステップＳ１００７の所定の演算処理を実行する。
【０１０７】
この所定の演算処理とは、複数のパッチに対する正反射光強度のムラ成分σ(ＧY)と、正反射近傍光強度のムラ成分σ(ＧX)と、光沢ムラ評価値σ（ＧX，ＧY）とを算出する以下の（２）式に基づく演算処理である。
【０１０８】
2006266763.tif 000007
【０１０９】
尚、後述するが、各パッチの光沢感評価値から等密度線を計算し、等密度線の勾配から光沢ムラ評価値σ（ＧX，ＧY）を算出しても良い。
【０１１０】
光沢ムラ評価値出力部１１５０は、光沢ムラ評価値ファイル出力部１１５１、光沢ムラ評価値モニタ表示部１１５２で構成される。光沢ムラ評価値ファイル出力部１１５１においては、光沢ムラ評価値演算部１１４５における上記（２）式で算出された光沢ムラ評価値σ（ＧX，ＧY）と正反射光強度のムラ成分σ(ＧY)と正反射近傍光強度のムラ成分σ(ＧX)とを組として、所定の形式でファイルに出力する。
【０１１１】
また、光沢ムラ評価値モニタ表示部１１５２による表示処理を実現するためのＧＵＩの例を、図１２を用いて説明する。
【０１１２】
図１２は本発明の実施形態２の表示処理を実現するためのＧＵＩの例を示す図である。
【０１１３】
図１２では、実施形態１と同様に、光沢ムラを視覚的に把握するためのＧＵＩである。
【０１１４】
図１２では、カラーモニタ１０７上の２次元評価グラフに各パッチの光沢感評価値として（ＧX，ＧY）をプロットし、プロットされた各点から等密度線を計算し、２次元評価グラフに表示している。
【０１１５】
１２０１は、ある試料群Ａの光沢ムラの様子を示す等密度線であり、●は試料群Ｂの各パッチの光沢感評価値を示している。
【０１１６】
また、１２０２は、試料群Ｂについての光沢ムラ、×は試料群Ｂの各パッチの光沢感評価値を示している。
【０１１７】
また、１２０３は、試料群Ｃについての光沢ムラ、▲は試料群Ｃの各パッチの光沢感評価値を示している。
【０１１８】
図１２によれば、試料群Ｂに比べ試料群Ａの方が光沢感評価値（ＧX，ＧY）が広く分布しているため、試料群Ａの方が試料群Ｂより光沢ムラが大きいことが読み取れる。また、試料群Ｂは、比較的縦軸の方向に分布しており、正反射光強度についてのムラが大きいことがわかる。一方、試料群Ｃは、比較的横軸の方向に分布しており、正反射近傍光強度についてのムラが大きいことがわかる。
【０１１９】
以上説明したように、実施形態２によれば、実施形態１で説明した効果に加えて、等密度を表す線の間隔から光沢ムラを視覚的に把握することができる。
【０１２０】
尚、上記実施形態１や２では、評価パラメータで規定される２次元空間上で、物体の光学特性を評価するための情報を提示する構成としているが、使用する評価パラメータを３つ構成して、これらで規定される３次元空間上で、物体の光学特性を評価するための情報を提示する構成としても良い。例えば、オレンジピール（ゆず肌）成分をパラメータとして加えることで３次元構成にしても良い。
【０１２１】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１２２】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１２３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１２４】
その場合、プログラムの機能を有していれば、オブジェクトコード、インタプリタにより実行されるプログラム、ＯＳに供給するスクリプトデータ等の形態であっても良い。
【０１２５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１２６】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１２８】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１２９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１３０】
【図１】本発明の実施形態１の光沢評価処理の概要を示すフローチャートである。
【図２Ａ】本発明の実施形態１の光沢感評価装置の全体構成の概略を示すブロック図である。
【図２Ｂ】本発明の実施形態１の光沢感評価装置のハードウェア構成を示すブロック図である。
【図３】変角反射光分布特性測光部を実現する測定装置の全体構成及びその動作の概略を示す図である。
【図４】本発明の実施形態１の正反射光強度と正反射光近傍強度との抽出方法の一例を説明するための図である。
【図５】本発明の実施形態１の正反射光強度と正反射光近傍強度との抽出方法の他の例を説明するための図である。
【図６】本発明の実施形態１の正反射光強度と正反射光近傍強度との抽出方法の他の例を説明するための図である。
【図７】本発明の実施形態１の評価値入力／格納／表示処理を実現するためのＧＵＩ（グラフィックユーザインタフェース）の例を示す図である。
【図８】本発明の実施形態１の評価パラメータ入力処理及び格納処理を示すフローチャートある。
【図９】本発明の実施形態１の評価パラメータ表示処理を示すフローチャートである。
【図１０】実施形態２の評価対象とする印刷媒体の光沢感及び光沢ムラの評価値を表示／出力処理を示すフローチャートである。
【図１１】本発明の実施形態２における光沢感および光沢ムラ評価装置の全体構成の概略を示すブロック図である。
【図１２】本発明の実施形態２の表示処理を実現するためのＧＵＩの例を示す図である。
【符号の説明】
【０１３１】
１００  光沢感評価装置
２１０  受光信号処理部
２１１  測光部
２１３  評価パラメータ抽出部
２１４  正反射光強度抽出部
２１５  正反射近傍光強度抽出部
２２０  光沢感評価値算出処理部
２２１  評価パラメータ入力部
２２２  正反射光高度入力部
２２３  正反射近傍光強度入力部
２２４  評価パラメータ格納部
２３０  光沢感評価値出力部
２３１  光沢評価値ファイル出力部
２３２  光沢感評価値モニタ表示部
【図１】
2006266763.tif 000011
【図２Ａ】
2006266763.tif 000012
【図２Ｂ】
2006266763.tif 000013
【図３】
2006266763.tif 000014
【図４】
2006266763.tif 000015
【図５】
2006266763.tif 000016
【図６】
2006266763.tif 000017
【図７】
2006266763.tif 000018
【図８】
2006266763.tif 000019
【図９】
2006266763.tif 000020
【図１０】
2006266763.tif 000021
【図１１】
2006266763.tif 000022
【図１２】
2006266763.tif 000023